(57)【要約】【課題】本発明は、極めて商品価値の高い画期的なペットの糞取り装置を提供することを目的とする。【解決手段】握柄１の先端部に糞を受ける袋体３を支持する袋体支持部２を設けたペットの糞取り装置であって、袋体３の袋口部３ａを構成する対向部３Ａ，３Ｂ夫々に添設され、復帰付勢力に抗して撓み変形する一対の付勢作用棒体４，５を前記握柄１の先端部に設け、この付勢棒体４，５同志が並列状態の際、袋口部３ａは閉塞状態となり、付勢作用棒体４，５夫々を復帰付勢力に抗して撓み変形させて互いに中央部同士を離反させた際、付勢作用棒体４，５が並列状態から環状態となることで袋口部３ａが閉塞状態から開口状態となるように設けて前記袋体支持部２は構成されたものである。【選択図】図２
2007159575.tif 000002
【特許請求の範囲】
【請求項１】
握柄の先端部に糞を受ける袋体を支持する袋体支持部を設けたペットの糞取り装置であって、袋体の袋口部を構成する対向部夫々に添設され、復帰付勢力に抗して撓み変形する一対の付勢作用棒体を前記握柄の先端部に設け、この付勢棒体同志が並列状態の際、袋口部は閉塞状態となり、付勢作用棒体夫々を復帰付勢力に抗して撓み変形させて互いに中央部同士を離反させた際、付勢作用棒体が並列状態から環状態となることで袋口部が閉塞状態から開口状態となるように設けて前記袋体支持部は構成されていることを特徴とするペットの糞取り装置。
【請求項２】
前記付勢作用棒体夫々を復帰付勢力に抗して撓み変形させて互いに中央部同士を離反させた際、付勢作用棒体は近接並列状態から環状態となるように構成されていることを特徴とする請求項１記載のペットの糞取り装置。
【請求項３】
前記付勢作用棒体の先端部同志は連設され、この先端連設部に前記握柄に該握柄の長さ方向に移動自在に設けた移動体を連設し、この移動体を基端側へ移動させて先端連設部を基端側へ移動させることで、撓み変形して互いに中央部同士が離反することで並列状態から環状態となるように前記付勢作用棒体は構成されていることを特徴とする請求項１，２のいずれか１項に記載のペットの糞取り装置。
【請求項４】
前記移動体として棒状の移動体を採用し、前記付勢作用棒体が並列状態から環状態となった際、この移動体は少なくとも撓み変形した一方の付勢作用棒体と添設状態となる湾曲形状部を有することを特徴とする請求項３記載のペットの糞取り装置。
【請求項５】
前記付勢作用棒体の先端連設部は分離自在に構成されており、この分離した付勢作用棒体を袋口部を構成する対向部夫々に設けた挿通孔部に挿通することで袋体を取り外し自在に装着し得るように前記袋体支持部を構成したことを特徴とする請求項３，４のいずれか１項に記載のペットの糞取り装置。
【請求項６】
前記付勢作用棒体の先端連設部は、付勢作用棒体夫々の先端部に設けた孔部同志を枢着軸部材を介して枢着して構成されていることを特徴とする請求項３〜５のいずれか１項に記載のペットの糞取り装置。
【請求項７】
前記付勢作用棒体夫々の周面に袋体の袋口部を構成する対向部夫々に刺入し得る刺入部を設けたことを特徴とする請求項１〜６のいずれか１項に記載のペットの糞取り装置。
【請求項８】
前記付勢作用棒体夫々に前記袋体内に配した袋状体若しくは面状体の端部を挟持する挟持装着部を設けたことを特徴とする請求項１〜７のいずれか１項に記載のペットの糞取り装置。
【発明の詳細な説明】
【技術分野】
【０００１】
本発明は、ペットの糞取り装置に関するものである。
【背景技術】
【０００２】
ペットとして、例えば犬を飼う愛犬家が増えるに伴い、犬が散歩中に行う糞の放置が大きな社会問題として取り扱われる中、愛犬家の間では、犬の散歩時に掃除道具（袋やスコップなど）を持ち歩き、犬がした糞を袋に入れて持ち帰るように呼びかけられ、これを実行している愛犬家も増えているが、依然としてマナーの悪い愛犬家もいるのが現状である。
【０００３】
そこで、従来、犬がした糞を持ち帰らない愛犬家が存在する理由として、糞の処理作業がしゃがんで行わなければならず煩わしく、それらの掃除道具では直接手で処理する感覚が強いため敬遠されてしまうからであると考えられ、この点が考慮されたペットの糞取り装置が提案されており、具体的には、握柄の先端部に袋体を支持する袋体支持部を設けたものである。この構造であれば、例えば犬の散歩中、犬が糞を行おうとした際、飼い主は握柄を握ったまま犬のお尻の下方に袋体を配し、犬がした糞は袋体で受け止められることになり、しゃがんだ状態で処理する必要はなく楽な姿勢で対応することができる。
【０００４】
ところで、このペットの糞取り装置について更なる研究・開発が進められており、握柄に設けた操作部の操作により袋体支持部で支持する袋体の袋口部の開閉操作が行なえるタイプのペット糞取り装置（以下、従来例）が種々提案されている。
【０００５】
この従来例は、通常は袋体の袋口部は閉塞状態となる為、それまで提案されたものの問題点、例えば袋体で受けた糞が見えて体裁が悪い、周囲への匂いの飛散や糞を落としてしまい不衛生なイメージがある、などの問題点を解消することができる。
【発明の開示】
【発明が解決しようとする課題】
【０００６】
ところが、従来例は、いずれも袋口部の開閉が良好に行われず（特に良好な開口状態が得られないと糞を受けにくく、糞を落としてしまう原因となる。）、しかも、構造が複雑故に量産性が悪くコスト高となるなどの問題点がある。
【０００７】
本発明者は、上述の問題点に着目し、種々の実験・研究を繰り返し行った結果、従来にない作用効果を発揮する画期的なペットの糞取り装置を開発した。
【課題を解決するための手段】
【０００８】
添付図面を参照して本発明の要旨を説明する。
【０００９】
握柄１の先端部に糞を受ける袋体３を支持する袋体支持部２を設けたペットの糞取り装置であって、袋体３の袋口部３ａを構成する対向部３Ａ，３Ｂ夫々に添設され、復帰付勢力に抗して撓み変形する一対の付勢作用棒体４，５を前記握柄１の先端部に設け、この付勢棒体４，５同志が並列状態の際、袋口部３ａは閉塞状態となり、付勢作用棒体４，５夫々を復帰付勢力に抗して撓み変形させて互いに中央部同士を離反させた際、付勢作用棒体４，５が並列状態から環状態となることで袋口部３ａが閉塞状態から開口状態となるように設けて前記袋体支持部２は構成されていることを特徴とするペットの糞取り装置に係るものである。
【００１０】
また、前記付勢作用棒体４，５夫々を復帰付勢力に抗して撓み変形させて互いに中央部同士を離反させた際、付勢作用棒体４，５は近接並列状態から環状態となるように構成されていることを特徴とする請求項１記載のペットの糞取り装置に係るものである。
【００１１】
また、前記付勢作用棒体４，５の先端部同志は連設され、この先端連設部６Ａに前記握柄１に該握柄１の長さ方向に移動自在に設けた移動体７を連設し、この移動体７を基端側へ移動させて先端連設部６Ａを基端側へ移動させることで、撓み変形して互いに中央部同士が離反することで並列状態から環状態となるように前記付勢作用棒体４，５は構成されていることを特徴とする請求項１，２のいずれか１項に記載のペットの糞取り装置に係るものである。
【００１２】
また、前記移動体７として棒状の移動体７を採用し、前記付勢作用棒体４，５が並列状態から環状態となった際、この移動体７は少なくとも撓み変形した一方の付勢作用棒体と添設状態となる湾曲形状部７ａを有することを特徴とする請求項３記載のペットの糞取り装置に係るものである。
【００１３】
また、前記付勢作用棒体４，５の先端連設部６Ａは分離自在に構成されており、この分離した付勢作用棒体４，５を袋口部３ａを構成する対向部３Ａ，３Ｂ夫々に設けた挿通孔部３ｂ，３ｃに挿通することで袋体３を取り外し自在に装着し得るように前記袋体支持部２を構成したことを特徴とする請求項３，４のいずれか１項に記載のペットの糞取り装置に係るものである。
【００１４】
また、前記付勢作用棒体４，５の先端連設部６Ａは、付勢作用棒体４，５夫々の先端部に設けた孔部４ａ，５ａ同志を枢着軸部材８を介して枢着して構成されていることを特徴とする請求項３〜５のいずれか１項に記載のペットの糞取り装置に係るものである。
【００１５】
また、前記付勢作用棒体４，５夫々の周面に袋体３の袋口部３ａを構成する対向部３Ａ，３Ｂ夫々に刺入し得る刺入部９を設けたことを特徴とする請求項１〜６のいずれか１項に記載のペットの糞取り装置に係るものである。
【００１６】
また、前記付勢作用棒体４，５夫々に前記袋体３内に配した袋状体23若しくは面状体の端部23ａを挟持する挟持装着部20を設けたことを特徴とする請求項１〜７のいずれか１項に記載のペットの糞取り装置に係るものである。
【発明の効果】
【００１７】
本発明は上述のように構成したから、袋体の袋部の開閉が良好に行われ、簡易構造故にコスト安にして量産性に秀れるなど従来にない作用効果を発揮する画期的なペットの糞取り装置となる。
【発明を実施するための最良の形態】
【００１８】
好適と考える本発明の実施形態を、図面に基づいて本発明の作用を示して簡単に説明する。
【００１９】
本発明は、ペット、例えば犬の散歩中、犬が糞を行おうとした際、飼い主は握柄を握ったまま犬のお尻の下方に袋体３を配し、犬がした糞は袋体３で受けることになる。袋体３の袋口部３ａは開閉自在であり、糞を受けた後は袋口部３ａを閉塞状態とすることができる。
【００２０】
その後、例えばそのまま家に持ち帰り、糞をゴミ袋などに捨てたりトイレに流したりして糞を処理することになる。
【００２１】
従って、散歩中に犬がした糞を地面に落とさず握柄の先端に設けられた袋体で受けることができ、しかも、単に握柄１の先端に設けられた袋体で糞を受けるのではなく、この袋体で糞を受け止め、この袋体３の袋口部を閉塞状態することができて極めて衛生的に糞を袋体３に収めておくことができる為、一切犬の糞に触れる事なく極めて衛生的に糞の処理作業が行えることになり、しかも、この作業が極めて簡易である為、飼い主は面倒がらずに糞の処理作業を行うようになり愛犬家に糞を処理する意識を強く持たせることができる。
【００２２】
ところで、本発明は、袋体３の袋口部３ａを構成する対向部３Ａ，３Ｂ夫々に添設され、復帰付勢力に抗して撓み変形する一対の付勢作用棒体４，５を前記握柄１の先端部に設け、この付勢棒体４，５同志が並列状態の際、袋口部３ａは閉塞状態となり、付勢作用棒体４，５夫々を復帰付勢力に抗して撓み変形させて互いに中央部同士を離反させた際、付勢作用棒体４，５が並列状態から環状態となることで袋口部３ａが閉塞状態から開口状態となるように設けて前記袋体支持部２は構成されている。
【００２３】
つまり、通常、袋体３の袋口部３ａは付勢作用棒体４，５同志が並列状態であるため閉塞状態であり、袋体３で糞を受けようとする際には、付勢作用棒体４，５夫々を復帰付勢力に抗して撓み変形させて互いに中央部同士を離反させて、付勢作用棒体４，５が並列状態から環状態となることで袋口部３ａが閉塞状態から開口状態となり、この状態で袋体３で糞を受けることができる。袋体３で糞を受けた後、付勢作用棒体４，５に対する撓み変形させる力を弱めることで復帰付勢力により開口状態から閉塞状態となり、この状態で糞を持ち帰るなりすることになる。
【００２４】
また、付勢作用棒体４，５は並列状態から環状態となり、袋体３の袋口部３ａが綺麗な円形状となる為、例えば犬の尻に当て易く、当てた際に確実に糞が落ちる部位を良好に覆うことができることになり、しかも、この袋体支持部２を構成する付勢作用棒体４，５が自ら付勢力を発揮して開閉が行なわれる構造であるから、別途特別な付勢手段を設けたりする必要は無く、よって、最低限の部品で構成されることになるから、軽量化が達成されるのは勿論、簡易構造故にコスト安にして量産性に秀れることになる。
【実施例１】
【００２５】
本発明の具体的な実施例１について図１〜８に基づいて説明する。
【００２６】
本実施例は、握柄１の先端に糞を受ける袋体３を支持する袋体支持部２を設けたものである。
【００２７】
以下、本実施例に係る構成各部について詳細な説明をする。
【００２８】
握柄１は、１，２に図示したように適宜な金属製の筒体で構成され、その基端部にはハンドル部10が設けられ、このハンドル部10には後述する移動体７を操作する操作レバー13が設けられている。尚、握柄１は金属製に限らず合成樹脂製でも良い。
【００２９】
また、握柄１は、その先端部に後述する袋体支持部２を連結する連結部材11が止着部材14を介して止着されている。
【００３０】
袋体支持部２は、後述する袋体３の袋口部３ａを構成する対向部３Ａ，３Ｂ夫々に添設され、復帰付勢力に抗して撓み変形する一対の付勢作用棒体４，５を前記握柄１の先端部に設け、この付勢棒体４，５同志が近接並列状態（若しくは当接並列状態）の際、袋口部３ａは閉塞状態となり、付勢作用棒体４，５夫々を復帰付勢力に抗して撓み変形させて互いに中央部同士を離反させた際、付勢作用棒体４，５が並列状態から環状態となることで袋口部３ａが閉塞状態から開口状態となるように設けて構成されている。
【００３１】
具体的には、付勢作用棒体４，５は、図２，３に図示したように適宜な金属製の部材で形成した薄板状体（帯状体）であり、直線状態から湾曲状（円弧状）とする撓み変形に対して適度な復帰付勢力が生じるように構成されている。
【００３２】
また、付勢作用棒体４，５は、その先端部及び基端部夫々に孔部４ａ，４ｂ，５ａ，５ｂが設けられている。
【００３３】
この付勢作用棒体４，５の基端部に設けた孔部４ｂ，５ｂは、図２，３，４に図示したように前述した握柄１の先端部に設けた連結部材11に枢着軸部材12を介して枢着されている。この枢着軸部材12は、内面に螺子溝が形成された筒状部材12ａと、この筒状部材12ａに挿入螺着される螺着部材12ｂとで構成されている。
【００３４】
従って、付勢作用棒体４，５は、その基端連設部６Ｂが握柄１（連結部材11）に対して擺動自在となる。
【００３５】
また、付勢作用棒体４，５の先端部に設けた孔部４ａ，５ａは、図２，３，４に図示したように互いに枢着軸部材８を介して枢着連結されている。この枢着軸部材８は、内面に螺子溝が形成された筒状部材８ａと、この筒状部材８ａに挿入螺着される螺着部材８ｂとで構成されている。
【００３６】
従って、付勢作用棒体４，５は、その先端連設部６Ａを介して互いに擺動自在となる。
【００３７】
また、付勢作用棒体４，５の先端連設部６Ａは、枢着軸部材８を外すことで分離自在に設けられており、この分離した付勢作用棒体４，５夫々の先端部を後述する袋体３の袋口部３ａを構成する対向部３Ａ，３Ｂ夫々に設けた挿通孔部３ｂ，３ｃに挿通可能に設けられており、よって、この付勢作用棒体４，５から成る袋体支持部２に対して袋体３を取り外し自在に装着し得るように構成されている。
【００３８】
また、付勢作用棒体４，５は、その外周面に複数の刺入部９が並設されている。
【００３９】
この刺入部９は、図５に図示したように付勢作用棒体４，５夫々に所定間隔を介して並設されており、付勢作用棒体４，５の内周面側から刺した針材を外周面側に突出させて構成され、更に、刺入部９の先端部は下方へ折曲されている。
【００４０】
この刺入部９は、後述する袋体３の袋口部３ａを構成する対向部３Ａ，３Ｂ及び袋状体23の端部23ａに刺さり、該袋体３及び袋状体23を係止保持し得るものである。
【００４１】
また、付勢作用棒体４，５は、その先端連設部６Ａが連結される移動体７の移動により撓み変形し得るように構成されている。
【００４２】
具体的には、移動体７は、図２，３，４，６に図示したように適宜な金属製の部材を棒状に形成したものであり、握柄１内に嵌挿配設され、該移動体７の基端部に設けたスライド部15が握柄１の筒孔１ａ内をスライド移動することで握柄１の長さ方向に移動自在に設けられている。このスライド部15はその基端部に設けられる発条18により常時先端側へ付勢されている。
【００４３】
また、移動体７は、その基端部に設けたスライド部15が前述した握柄１の基端部下面に開口する開口部１ｂから突出する操作レバー13に連結されており、この操作レバー13の握り操作（指の引掛け操作）により移動体７は基端側へ移動することになる。この操作レバー13の握り操作を解除すると、スライド部15が発条18により先端側へ付勢されることで、操作レバー13は先端側へ移動することになる。
【００４４】
また、移動体７は、その先端部が付勢作用棒体４，５同志の先端連設部６Ａに枢着されている。
【００４５】
従って、付勢作用棒体４，５は、操作レバー13の握り操作により移動体７を基端側へ移動させて付勢作用棒体４，５の先端連設部６Ａのみを基端側へ移動させることで（付勢作用棒体４，５の基端連結部６Ｂは握柄１の先端部に連結されているため移動しない。）、撓み変形して互いに中央部同士を離反させることで並列状態（平面方向から見て平行状態）から環状態（平面方向から見て円形状態）となって閉塞状態から開口状態となり、この操作レバー14の握りを緩めると、前述した発条18の付勢も相まって、付勢作用棒体４，５の復帰付勢力により該付勢作用棒体４，５は環状態から並列状態となって自動的に開口状態から閉塞状態となる（図７，８参照）。
【００４６】
また、移動体７は、その先端部に湾曲形状部７ａが形成されており、この湾曲形状部７ａは、付勢作用棒体４，５が並列状態から環状態となった際、少なくとも撓み変形した一方の付勢作用棒体４と添設状態（環状態とした付勢作用棒体４，５の内側に位置しない状態）となるように構成されている。
【００４７】
これは、開口状態となった付勢作用棒体４，５（袋体３）と同一平面位置から上方位置に移動体７が存在したのでは邪魔であり、これを回避するための構成である。
【００４８】
袋体３は、図１，２に図示したように適宜な合成樹脂製の部材（ビニール製）で形成したものであり、その袋口部３ａを構成する対向部３Ａ，３Ｂ夫々は折り返して筒状の挿通孔部３ｂ，３ｃが形成されている。
【００４９】
この袋口部３ａを構成する対向部３Ａ，３Ｂは、夫々挿通孔部３ｂ，３ｃに付勢作用棒体４，５を挿通して添設状態とし、該付勢作用棒体４，５の外周面に設けた刺入部９を刺入して係止状態で装着されることになる。
【００５０】
尚、本実施例では、袋体３は面状部材で構成したが、通気性を有する網状の部材で形成しても良いなど本実施例の特性を発揮する構成であれば適宜作用し得るものである。
【００５１】
袋状体23は、図２に図示したように適宜な紙製の部材を袋状に形成したものであり、所謂使い捨てのできるものである。
【００５２】
この袋状体23は、前述した袋体３内に配された状態において端部23ａを外側に折り返して前記刺入部９を刺入することで係止状態で装着されることになる。
【００５３】
尚、袋状体23を使用せず袋体３で直接糞を受けるようにしても良く、また、袋体３内に配するものにして糞を受けるものとしては前述した袋状体23に限らず、トイレットペーパーやちり紙などの面状体を袋状に適宜折り曲げて使用するなどしても良い。
【００５４】
符号17は本実施例の各所に適宜配されるワッシャーである。
【００５５】
以上の構成からなる本実施例に係るペットの糞鳥り装置の具体的な使用方法は以下の通りである。尚、本実施例では、袋体３の内側に前述した使い捨ての袋状体23を配している。
【００５６】
例えば犬の散歩中、犬が糞を行おうとした際（犬は、糞を行う際、雄雌共通してお尻を突き出して地面から所定の距離だけ離した所謂中腰状態となる。）、飼い主は握柄１を握ったまま犬のお尻の下方に袋体３を配する。この際、操作レバー13を握り操作することで付勢作用棒体４，５は並列状態から環状態となり、袋体３の袋口部３ａを閉塞状態から開口状態としている。
【００５７】
この状態で犬がした糞は袋状体23で受けられ、続いて、操作レバー13の握りを弱めると、付勢作用棒体４，５が復帰付勢力により環状態から並列状態となることで、袋体３の袋口部３ａ（袋状体23の開口部）は、開口状態から閉塞状態となる。
【００５８】
その後、飼い主はそのまま家に持ち帰り、袋状体23の端部23ａをつかんでゴミ袋などに捨てたりして糞の処理作業が行えることになる（尚、袋体３をその場でビニール袋などに入れて処理しても良い。）。
【００５９】
よって、本実施例によれば、前述した従来例と異なり、ペット、特に犬の散歩時における糞を簡易に且つ衛生的に処理することができ、ひいては、飼い主に糞を持ち帰ろう（処理しよう）という意識を促進することができる。
【００６０】
また、本実施例は、移動体７として棒状の移動体７を採用し、付勢作用棒体４，５が並列状態から環状態となった際、この移動体７は少なくとも撓み変形した一方の付勢作用棒体４と添設状態となる湾曲形状部７ａを有する構成としたから、袋体３の開口した袋口部３ａの上方に移動体７が存在せず邪魔にならず、確実にその機能を発揮させることができる。
【００６１】
また、本実施例は、付勢作用棒体４，５の先端連設部６Ａは分離自在に構成されており、この分離した付勢作用棒体４，５を袋口部３ａを構成する対向部３Ａ，３Ｂ夫々に設けた挿通孔部３ｂ，３ｃに挿通することで袋体３を取り外し自在に装着し得るように前記袋体支持部２を構成したから、袋体３の取り外しが良好に行えることになる。
【００６２】
また、本実施例は、付勢作用棒体４，５の先端連設部６Ａは、付勢作用棒体４，５夫々の先端部に設けた孔部４ａ，５ａ同志を枢着軸部材８を介して枢着連結して構成されているから、付勢作用棒体４，５における並列状態と環状態との切り替えが円滑に行なわれることになり、しかも、より一層袋体３の取り外しが良好に行えることになる。
【００６３】
また、本実施例は、付勢作用棒体４，５夫々の周面に袋体３の袋口部３ａを構成する対向部３Ａ，３Ｂ夫々に刺入し得る刺入部９を設けから、簡易且つ確実に袋体３を堅固に支持することができることになる。
【実施例２】
【００６４】
本発明の具体的な実施例２について図９，10に基づいて説明する。
【００６５】
実施例２は、図９，10に図示したように別タイプのハンドル部10を設けたものであり、握柄１の基端部に設けられる握柄部19に移動体７を操作する操作レバー13が枢着されている。
【００６６】
具体的には、移動体７の基端部を握持部19に枢着される操作レバー13に連結ワイヤー16を介して連結されており、この操作レバー13の握り操作により移動体７は基端側へ移動するように構成されている。
【００６７】
その余は実施例１と同様である。
【実施例３】
【００６８】
本発明の具体的な実施例３について図11〜15に基づいて説明する。
【００６９】
本実施例は、付勢作用棒体４，５夫々に前記袋体３内に配した袋状体23若しくは面状体の端部23ａを挟持する挟持装着部20を設けた場合である。本実施例では、この挟持装着部20を付勢作用棒体４，５夫々に３箇所ずつ等間隔の位置に設けているが、その数は間隔は適宜設計変更し得るものである。
【００７０】
この挟持装着部20は、図11〜15に図示したように付勢作用棒体４，５に止着する基部材20ａと、この基部材20ａに擺動自在となる擺動部材20ｂとで構成されている。
【００７１】
基部材20ａは、図12に図示したように適宜な金属製の板材をコ字状に折曲形成したものであり、付勢作用棒体４，５に対して上方から挟み込み固定するように構成されている。
【００７２】
また、基部材20ａの外面には、擺動部材20ｂの端部を連結する連結部20ａ’が設けられており、この連結部20ａ’は、擺動部材20ｂの端部を回動付勢して擺動部材20ｂを挟持方向へ付勢する形状に設定されている。
【００７３】
また、基部材20ａの外面にして擺動部材20ｂとの挟み込み面には、滑り止め加工が施されており、具体的にはゴム製の部材を配している。
【００７４】
従って、前述した擺動部材20ｂの挟持方向への付勢によるのは勿論、この滑り止め加工により、擺動部材20ｂとともに袋状体23の端部23ａを挟持する際、袋状体23の端部23ａが滑らず良好な挟持状態が得られることになる。
【００７５】
擺動部材20ｂは、図12に図示したように適宜な金属製の棒材を折曲形成したものであり、この擺動部材20ｂの端部を基部材20ａの外面に設けた連結部20ａ’に擺動自在に連結されている。
【００７６】
また、本実施例は、図15に図示したように移動体７の湾曲形状部７ａを傾斜状態（水平状態から下方へ約２０°傾斜状態）としており、前記付勢作用棒体４，５が並列状態から環状態となった際、この湾曲形状部７ａを撓み変形した付勢作用棒体４と添設状態となるように構成されている。
【００７７】
これは付勢作用棒体４に設けた挟持装着部20の擺動部材20ｂを避けるための構成である。
【００７８】
尚、付勢作用棒体４，５夫々に刺入部９を設けても良い。
【００７９】
また、本実施例は、前述した実施例１と異なり、移動体７を先端側へ付勢する発条18は設けられておらず（移動体７の先端側への付勢は付勢作用棒体４，５の戻り付勢により行われる）、移動体７の基端部には握柄１に被嵌される筒状のスライド操作体23が連結されており、この移動体７とスライド操作体23とは握柄１に形成した長窓状のガイド孔１ａをスライド移動するスライド体21を介して連結されている。
【００８０】
ガイド孔１ａの基端部にはスライド体21の係止部21ａが係止する被係止部１ａ’が屈曲状に形成されており、握柄１に対してスライド移動させたスライド操作体23を回動することで係止部21ａを被係止部１ａ’に係止し得るように構成されている。
【００８１】
従って、付勢作用棒体４，５における環状態を保持することができる。
【００８２】
その余は実施例１と同様である。
【００８３】
尚、本発明は、実施例１〜３に限られるものではなく、各構成要件の具体的構成は適宜設計し得るものである。
【図面の簡単な説明】
【００８４】
【図１】実施例１の使用状態説明図である。
【図２】実施例１を示す分解斜視図である。
【図３】実施例１に係る要部を示す斜視図である。
【図４】実施例１に係る要部を示す側面図である。
【図５】実施例１に係る要部を示す断面図である。
【図６】実施例１に係る要部を示す断面図である。
【図７】実施例１の動作説明図である。
【図８】実施例１の動作説明図である。
【図９】実施例２を示す斜視図である。
【図１０】実施例２に係る要部の動作説明図である。
【図１１】実施例３を示す斜視図である。
【図１２】実施例３に係る要部の動作説明図である。
【図１３】実施例３に係る要部を示す斜視図である。
【図１４】実施例３に係る要部を示す斜視図である。
【図１５】実施例３に係る要部の動作説明図である。
【符号の説明】
【００８５】
１  握柄
２  袋体支持部
３  袋体
３Ａ  対向部
３Ｂ  対向部
３ａ  袋口部
３ｂ  挿通孔部
３ｃ  挿通孔部
４  付勢作用棒体
４ａ  孔部
５  付勢作用棒体
５ａ  孔部
６Ａ  先端連設部
７  移動体
７ａ  湾曲形状部
８  枢着軸部材
９  刺入部
20  挟持装着部
23  袋状体
23ａ  端部
【図１】
2007159575.tif 000003
【図２】
2007159575.tif 000004
【図３】
2007159575.tif 000005
【図４】
2007159575.tif 000006
【図５】
2007159575.tif 000007
【図６】
2007159575.tif 000008
【図７】
2007159575.tif 000009
【図８】
2007159575.tif 000010
【図９】
2007159575.tif 000011
【図１０】
2007159575.tif 000012
【図１１】
2007159575.tif 000013
【図１２】
2007159575.tif 000014
【図１３】
2007159575.tif 000015
【図１４】
2007159575.tif 000016
【図１５】
2007159575.tif 000017